(57)【要約】【課題】キャビネットに大掛かりな加工を施すことなく、照明装置を取り付けることができる取付具及びこれを備えた照明装置付きキャビネットを提供する。【解決手段】縦長の照明装置４をその出光部分が前側に向けられた状態で取り付け可能な照明装置取付部３０を備える。照明装置取付部３０にキャビネット２の外側面に取り付け可能な被取付部３２が設けられる。【選択図】図１
2014209989.tif 000002
【特許請求の範囲】
【請求項１】
縦長の照明装置をその出光部分が前側に向けられた状態で取り付け可能な照明装置取付部を備え、この照明装置取付部にキャビネットの外側面に取り付け可能な被取付部が設けられたことを特徴とする取付具。
【請求項２】
前記照明装置取付部が縦長であって前記キャビネットの外側面の前部に沿って配置されるものであり、この照明装置取付部から前記キャビネットの外側面に沿って後側に突出する突出部を備え、前記照明装置取付部の左右幅と前記突出部の左右幅とを同じにしたことを特徴とする請求項１に記載の取付具。
【請求項３】
請求項１又は請求項２に記載の取付具と、前記キャビネットと、前記照明装置とを具備した照明装置付きキャビネットであって、前記取付具の前記被取付部が前記キャビネットの外側面に取り付けられ、前記取付具の前記照明装置取付部が前記キャビネットの外側面の前部に沿って配置され、前記照明装置がその出光部分を前側に向けた状態で前記照明装置取付部に取り付けられたことを特徴とする照明装置付きキャビネット。
【請求項４】
前記キャビネットが、他のキャビネットである第二キャビネットの側方に並べて設置されるものであり、前記取付具が前記キャビネットと前記第二キャビネットの間に配置されるものであることを特徴とする請求項３に記載の照明装置付きキャビネット。
【請求項５】
請求項２に記載の取付具を具備した照明装置付きキャビネットであって、前記取付具の前記照明装置取付部及び前記突出部の夫々が、前記キャビネットの外側面及び前記第二キャビネットの外側面に沿って配置されることを特徴とする請求項４に記載の照明装置付きキャビネット。
【請求項６】
前記照明装置が、縦長の導光部材と、回路基板と、この回路基板に設けられた点光源とを備え、前記点光源は前記導光部材の上端面に対向する位置に設けられ、前記導光部材は、前面が光出射部となり、且つ、上端面が前記点光源から発せられた光が導入される光入射部となって、前記光入射部から導入された光を反射して前記光出射部から出射するものであり、前記照明装置はさらに前記回路基板に熱的に接続された放熱部を備え、この放熱部が前記キャビネットと前記第二キャビネットの間に配置されるものであることを特徴とする請求項４又は請求項５に記載の照明装置付きキャビネット。
【請求項７】
前記キャビネットの左右両側の外側面の夫々に前記取付具が取り付けられ、前記取付具の各々に前記照明装置が取り付けられたことを特徴とする請求項３乃至６のいずれか１項に記載の照明装置付きキャビネット。
【請求項８】
前記照明装置が点光源と縦長の導光部材を備え、前記点光源は前記導光部材の上端面に対向する位置に設けられ、前記導光部材は、前面が光出射部となり、且つ、上端面が前記点光源から発せられた光が導入される光入射部となって、前記光入射部から導入された光を反射して前記光出射部から出射するものであり、前記導光部材の下側に、後方に行く程下方に位置するように傾斜した反射面部が設けれられたことを特徴とする請求項３乃至７のいずれか１項に記載の照明装置付きキャビネット。
【発明の詳細な説明】
【技術分野】
【０００１】
本発明は、取付具及び照明装置付きキャビネットに関する。
【背景技術】
【０００２】
特許文献１には、ミラーキャビネットが記載されている。このミラーキャビネットは、収納部を開閉する扉体の前面に端部を残して鏡板が取り付けられ、前記端部に沿って照明装置が設けられている。
【先行技術文献】
【特許文献】
【０００３】
【特許文献１】特開２００７−９８０３４
【発明の概要】
【発明が解決しようとする課題】
【０００４】
ところで、特許文献１に記載された照明装置は、鏡板を扉体の前面に端部を残して取り付けた専用の扉に取り付けることができるものである。すなわち、照明装置を取り付けるには、照明装置を取り付けるための大掛かりな加工をする必要があり、コストが増加する恐れがある。
【０００５】
本発明は、前記事情に鑑みてなされたものであって、大掛かりな加工を施すことなく、キャビネットに照明装置を取り付けることができる取付具及びこれを備えた照明装置付きキャビネットを提供することを課題とする。
【課題を解決するための手段】
【０００６】
上記課題を解決するために本発明の取付具は、縦長の照明装置をその出光部分が前側に向けられた状態で取り付け可能な照明装置取付部を備え、この照明装置取付部にキャビネットの外側面に取り付け可能な被取付部が設けられたことを特徴とする。
【０００７】
また、取付具は、前記照明装置取付部が縦長であって前記キャビネットの外側面の前部に沿って配置されるものであり、この照明装置取付部から前記キャビネットの外側面に沿って後側に突出する突出部を備え、前記照明装置取付部の左右幅と前記突出部の左右幅とを同じにすることが好ましい。
【０００８】
また、本発明の照明装置付きキャビネットは、前記取付具と、前記キャビネットと、前記照明装置とを具備した照明装置付きキャビネットであって、前記取付具の前記被取付部が前記キャビネットの外側面に取り付けられ、前記取付具の前記照明装置取付部が前記キャビネットの外側面の前部に沿って配置され、前記照明装置がその出光部分を前側に向けた状態で前記照明装置取付部に取り付けられたことを特徴とする。
【０００９】
また、照明装置付きキャビネットは、前記キャビネットが、他のキャビネットである第二キャビネットの側方に並べて設置されるものであり、前記取付具が前記キャビネットと前記第二キャビネットの間に配置されるものであることが好ましい。
【００１０】
また、照明装置付きキャビネットは、前記照明装置取付部が縦長であって前記キャビネットの外側面の前部に沿って配置されるものであり、この照明装置取付部から前記キャビネットの外側面に沿って後側に突出する突出部を備え、前記照明装置取付部の左右幅と前記突出部の左右幅とを同じにしたものであり、前記取付具の前記照明装置取付部及び前記突出部の夫々が、前記キャビネットの外側面及び前記第二キャビネットの外側面に沿って配置されることが好ましい。
【００１１】
また、照明装置付きキャビネットは、前記照明装置が、縦長の導光部材と、回路基板と、この回路基板に設けられた点光源とを備え、前記点光源は前記導光部材の上端面に対向する位置に設けられ、前記導光部材は、前面が光出射部となり、且つ、上端面が前記点光源から発せられた光が導入される光入射部となって、前記光入射部から導入された光を反射して前記光出射部から出射するものであり、前記照明装置はさらに前記回路基板に熱的に接続された放熱部を備え、この放熱部が前記キャビネットと前記第二キャビネットの間に配置されるものであることが好ましい。
【００１２】
また、照明装置付きキャビネットは、前記キャビネットの左右両側の外側面の夫々に前記取付具が取り付けられ、前記取付具の各々に前記照明装置が取り付けられることが好ましい。
【００１３】
また、照明装置付きキャビネットは、前記照明装置が点光源と縦長の導光部材を備え、前記点光源は前記導光部材の上端面に対向する位置に設けられ、前記導光部材は、前面が光出射部となり、且つ、上端面が前記点光源から発せられた光が導入される光入射部となって、前記光入射部から導入された光を反射して前記光出射部から出射するものであり、前記導光部材の下側に、後方に行く程下方に位置するように傾斜した反射面部が設けれられることが好ましい。
【発明の効果】
【００１４】
本発明にあっては、取付具の被取付部をキャビネットの外側面に取り付け、照明装置取付部に照明装置を取り付けて、照明装置を取付具を介してキャビネットに取り付けることができる。このため、キャビネットに大掛かりな加工を施すことなく、キャビネットに照明装置を設けることができ、コストの増加を抑えることができる。
【図面の簡単な説明】
【００１５】
【図１】本発明の第一実施形態の照明装置付きキャビネットにおける、キャビネット、取付具、及び取付具から取り外した照明装置を示す斜視図である。
【図２】同上の照明装置付きキャビネットを備えた洗面化粧台を示す正面図である。
【図３】同上の照明装置付きキャビネットを備えたシステムキャビネットを示す斜視図である。
【図４】同上のシステムキャビネットの平面図である。
【図５】同上のシステムキャビネットの要部水平断面図である。
【図６】同上の照明装置の分解斜視図である。
【図７】同上のシステムキャビネットの一方の照明装置及び扉の図示を省略した斜視図である。
【図８】同上の照明装置付きキャビネットの斜視図である。
【図９】第二実施形態の照明装置付きキャビネットにおける、キャビネット、取付具、及び取付具から取り外した照明装置を示す斜視図である。
【図１０】第三実施形態の照明装置付きキャビネットの側面を示す説明図である。
【発明を実施するための形態】
【００１６】
以下、添付図面に基づいて本発明の実施形態につき説明する。第一実施形態の照明装置付きキャビネット１は、図３に示されるように、照明装置が設けられていない他のキャビネット５と並べて設置されてシステムキャビネットを構成するものである。なお、以下では、照明装置付きキャビネット１の主体を構成するキャビネット２を、第一キャビネット２と記載し、他のキャビネット５を、第二キャビネット５と記載する場合がある。
【００１７】
システムキャビネットは、照明装置付きキャビネット１と、照明装置付きキャビネット１の左右に並べて設けられる第二キャビネット５とで構成される。照明装置付きキャビネット１は、システムキャビネットのセンターキャビネットとして利用される。第二キャビネット５は、システムキャビネットのサイドキャビネットとして利用される。以下、図２の紙面右側を右側として説明する。
【００１８】
第一キャビネット２及び第二キャビネット５は、前側に設けられた扉２１の前面を鏡面にしたミラーキャビネットである。これにより、第一キャビネット２と両側の第二キャビネット５を備えたシステムキャビネットは、洗面台９０の上方に設けられて三面鏡として利用できるようになっている。
【００１９】
洗面台９０は、その後面側を部屋の壁に沿わせた状態で床上に設置される。洗面台９０とシステムキャビネットとで洗面化粧台が構成される。図示は省略するが、洗面台９０の上部には、上方に開口する洗面ボウルが設けられている。洗面台９０の上面後端部には、上方に突出した立ち上がり壁部９１が形成されている。
【００２０】
照明装置付きキャビネット１は、図８に示されるように、第一キャビネット２に取付具３を用いて照明装置４を取り付けたものであって、第一キャビネット２、取付具３、及び照明装置４を備えている。
【００２１】
第二キャビネット５の基本的な構成は第一キャビネット２と同じである。従って、以下では、主に第一キャビネット２について説明し、第二キャビネット５において第一キャビネット２と共通する点については説明を極力省略する。また、第二キャビネット５において第一キャビネット２と共通する構成については第一キャビネット２と同じ符号を付す。
【００２２】
第一キャビネット２は、前後長さ及び上下長さが第二キャビネット５と略同じであるが、左右幅が第二キャビネット５よりも大きくなっている。第一キャビネット２は、キャビネット本体２０及び扉２１を備えている。キャビネット本体２０は、木製であって、図９に示されるように、天板２００、底板２０１、左右の側板２０２、及び背板２０３を組み合わせて前方に開口する箱状に形成されている。キャビネット本体２０には、天板２００、底板２０１、左右の側板２０２、及び背板２０３で囲まれた前方に開放された収納空間２０４が形成されている。収納空間２０４には、物品を収納できるようになっている。
【００２３】
キャビネット本体２０の天板２００には、板状のスペーサー２２が天板２００の上面に沿った状態で取り付けられている。スペーサー２２は天板２００から上方に突出した部分となるため、天板２００の左右両端部の上面は、スペーサー２２の上面よりも一段低くなっている。これにより、スペーサー２２の左右両側方には、上方及び外側方に開口した凹所２０６が形成されている。なお、スペーサー２２は、第二キャビネット５には設けられていない。
【００２４】
本実施形態では、キャビネット本体２０の両側に取付具３が取り付けられ、各取付具３に照明装置４が取り付けられている。各取付具３は、キャビネット本体２０の外側面である側板２０２の外面に取り付けられている。
【００２５】
両取付具３は左右対称である。各取付具３は金属製であって、図１に示されるように、照明装置取付部３０と、照明装置取付部３０から後方に突出した突出部３１を有しており、全体として側面視Ｌ字状に形成されている。
【００２６】
照明装置取付部３０は、縦長であって、第一キャビネット２と略同じ上下長さを有している。照明装置取付部３０は、前方及び上下に開口した縦長の溝部３００と、溝部３００の両側片部３０２の前後方向の中間部同士を接続する接続片部３０１とで構成されている。
【００２７】
突出部３１は、横長であって、第一キャビネット２と略同じ前後長さを有している。突出部３１は、長さ方向の断面形状が照明装置取付部３０と同じである。突出部３１は、上方及び前後に開口した横長の溝部３１０と、溝部３００の両側片部３１２の上下方向の中間部同士を接続する接続片部３１１（図５参照）とで構成されている。
【００２８】
突出部３１は、前端が明装置取付部３０の溝部３００の下端部の後面に、例えば溶接等によって接続されており、溝部３００の下端部から後方に向かって突出している。
【００２９】
照明装置取付部３０の左右幅と、突出部３１の左右幅は同じである。照明装置取付部３０の第一キャビネット２側の側面（側片部３０２の外面）と、突出部３１の第一キャビネット２側の側面（側片部３１２の外面）とが、段差無く面一に接続されている。また、照明装置取付部３０の第一キャビネット２と反対側の側面（側片部３０２の外面）と、突出部３１の第一キャビネット２と反対側の側面（側片部３１２の外面）も、段差無く面一に接続されている。
【００３０】
照明装置取付部３０の第一キャビネット２側の側片部３０２と、突出部３１の第一キャビネット２側の側片部３１２とで、第一キャビネット２のキャビネット本体２０の外側面に取り付けられる被取付部３２が構成されている。
【００３１】
照明装置取付部３０の第一キャビネット２と反対側の側片部３０２と、突出部３１の第一キャビネット２と反対側の側片部３１２とで、第二キャビネット５のキャビネット本体２０の外側面に当接される当接部３３が構成されている。
【００３２】
被取付部３２には、ねじ９３を挿通するための、左右に貫通するねじ用孔（不図示）が複数形成されている。また、当接部３３において各ねじ用孔に対応する箇所には、ねじ９３を回転操作するドライバー等の工具を通すための左右に貫通する作業用孔３３０が形成されている。図示例では、ねじ用孔及び作業用孔３３０が照明装置取付部３０の上下方向の複数箇所及び突出部３１の左右方向の複数箇所に設けられている。
【００３３】
取付具３をキャビネット本体２０の外側面に取り付けるには、まず、照明装置取付部３０の被取付部３２を、第一キャビネット２の側板２０２の外面に沿って配置する。そして、この状態で、ねじ９３を第一キャビネット２と反対側から各ねじ用孔に通し、これらねじ９３を第一キャビネット２の側板２０２にねじ込む。なお、取付具３は、キャビネット本体２０の内側から側板２０２に通したねじを、照明装置取付部３０の被取付部３２にねじ込んで取り付けてもよい。
【００３４】
取付具３の照明装置取付部３０の長さ方向は、第一キャビネット２の側板２０２の前端面と平行になり、且つ、突出部３１の長さ方向は、第一キャビネット２の側板２０２の下端面と平行になっている。照明装置取付部３０は、第一キャビネット２の側板２０２の上端部から下端部にまで至り、突出部３１は、第一キャビネット２の側板２０２の前端部から後端部にまで至っている。また、前後方向において、被取付部３２の前端（両側片部３０２の前端）と第一キャビネット２の側板２０２の前端面は揃っている。また、上下方向において、突出部３１の下端面（溝部３１０の下面）と第一キャビネット２の側板２０２の下端面は揃っている。また、照明装置取付部３０の下端部には、照明装置取付部３０の下端開口を閉塞するエンドキャップ３４が取り付けられている。
【００３５】
照明装置４は、取付具３の前側に取り付けられている。照明装置４は、図１、図５及び図６に示される、ベース４０、ホルダー４１、導光部材４２、表面カバー４７、上キャップ４４、光源ブロック４５、放熱板４６、放熱板カバー４８、及び下キャップ４３を有している。このうち、放熱板４６は光源ブロック４５で発生した熱を放散する放熱部を構成している。
【００３６】
ベース４０は、図５に示されるように、縦長で断面形状が前方に開口する溝形に形成されている。ベース４０の上下長さは、取付具３の照明装置取付部３０の上下長さと略同じである。ベース４０は、取付具３の照明装置取付部３０の溝部３００の前部内側に前方から嵌め込まれている。ベース４０の後面部は、照明装置取付部３０の接続片部３０１に前方からねじ止めされている。
【００３７】
ホルダー４１は縦長の部材であり、その上下長さはベース４０と略同じである。ホルダー４１には、前方に開口する保持溝部４１０が上下に亘って形成されている。
【００３８】
導光部材４２は縦長棒状に形成され、ホルダー４１と略同じ長さを有している。導光部材４２は、例えばアクリル樹脂やポリカーボネート樹脂等の透明な樹脂を用いて形成されており、透光性を有している。導光部材４２は、ホルダー４１の保持溝部４１０内に嵌め込まれてホルダー４１に保持されている。
【００３９】
導光部材４２の上端面は、ホルダー４１の上方に露出している。導光部材４２の上端面は、図６に示される光源ブロック４５が有する点光源４５１から発せられた光が入射する光入射部（不図示）を構成している。
【００４０】
図５に示されるように、導光部材４２の後面には、光反射部４２０が設けられている。光反射部４２０は、例えば導光部材４２の後面に印刷や蒸着によって反射性の物質を設けたり、微細な凹凸を設けたり、二色成形によって反射部分を設けたりすることによって形成される。光入射部５１０から導光部材４２に入射した光は、導光部材４２の内部を下方に向かって進行する過程で光反射部４２０において拡散して前側に反射するようになっている。導光部材４２の前面は、キャビネット本体２０の前方に臨んでおり、光反射部４２０で反射した光を前側に出射する光出射部４２１を構成している。
【００４１】
下キャップ４３は、図１に示されるように、ホルダー４１の下端面に沿って配置されている。下キャップ４３は、ねじ止めによってホルダー４１の下端部に取り付けられている。下キャップ４３は、ホルダー４１に保持された導光部材４２の直下に位置し、導光部材４２の下方への移動を規制する。
【００４２】
上キャップ４４は、ホルダー４１の上端部に被せるように嵌め込まれている。上キャップ４４は、ホルダー４１に保持された導光部材４２の直上に位置し、導光部材４２の上方への移動を規制する。
【００４３】
表面カバー４７は縦長であり、その長さはホルダー４１や導光部材４２と略同じである。表面カバー４７は、図５に示されるように、断面形状が後方に開口する溝形に形成されており、前面を構成する前片部４７０と、前片部４７０の両側から後方に突出した掛止片部４７１を有している。
【００４４】
表面カバー４７は、両掛止片部４７１をホルダー４１の前部に掛止することで、導光部材４２の前面を覆うようにホルダー４１に取り付けられている。表面カバー４７の前片部４７０は、照明装置４の前端部に位置し、照明装置４の前面部を構成している。表面カバー４７は透光性を有し、導光部材４２の光出射部４２１から出射された光は、表面カバー４７の前片部４７０を透してキャビネット本体２０の前側に出射されるようになっている。すなわち、表面カバー４７の前片部４７０は、前方に光を出す出光部分となっており、照明装置４はこの出光部分を前側に向けた状態で取付具３に取り付けられている。
【００４５】
上キャップ４４上には、図６に示される光源ブロック４５が有する回路基板４５０がその一面を下に向けて載置されている。回路基板４５０には点光源４５１が設けられている。回路基板４５０と点光源４５１とで光源ブロック４５が構成されている。点光源４５１は発光ダイオード（LED（Light  Emitting  Diode））で構成されている。図示は省略するが、上キャップ４４には、点光源４５１を下方に露出させる窓部が形成されており、点光源４５１は、導光部材４２の上端面で構成された光入射部に対向している。なお、本実施形態の点光源４５１は、発熱量を抑えるために回路基板４５０に一つだけ設けられているが、複数設けられてもよい。
【００４６】
放熱板４６は、放熱性に優れた金属製であって、例えばアルミニウムによって形成される。平面視略矩形状の放熱板４６の前端部の一方の側端部は、前方に突出した突出板部４６０となっている。
【００４７】
放熱板４６の突出板部４６０は、回路基板４５０を介してホルダー４１上に配置されている。突出板部４６０において回路基板４５０と重複しない箇所は、ホルダー４１の上端部にねじ止めにより取り付けられている。これにより、回路基板４５０及び上キャップ４４が、放熱板４６の突出板部４６０とホルダー４１とで挟み込まれて固定されている。また、これにより、回路基板４５０は放熱板４６の突出板部４６０に熱的に接続されている。なお、回路基板４５０は放熱板４６の突出板部４６０に直接接してもよいし、シリコーン等の熱伝導性の優れた材料によって形成された放熱シート等を介して間接的に接するものであってもよい。
【００４８】
光源ブロック４５の点光源４５１を発光させると、点光源４５１及びこれが実装された回路基板４５０は発熱する。このように光源ブロック４５において発生した熱は、放熱板４６に伝わり、放熱板４６から放散されるようになっている。
【００４９】
放熱板カバー４８は、下方に開口する箱状に形成されている。放熱板カバー４８は、放熱板４６に被せるように嵌め込まれている。これにより、放熱板４６が放熱板カバー４８に収納されている。図示は省略するが、放熱板カバー４８の両側面部４８０の内面には掛止部が形成されており、これら掛止部は放熱板４６の下面に掛止されている。
【００５０】
図５に示されるように、照明装置４のホルダー４１は、溝形のベース４０に嵌め込まれている。ホルダー４１の後面両側には、後方に突出した引掛片部４１１が形成されている。各引掛片部４１１は、ベース４０の対応する側片部の内面に突出して設けられた掛止部４００に掛止されている。なお、ホルダー４１は、ねじ止めによってベース４０に取り付けられてもよい。
【００５１】
ホルダー４１及び導光部材４２は、キャビネット本体２０の天板３０や底板２０１よりも前方に突出している。表面カバー４７の前面は、前後方向において、キャビネット本体２０の収納空間２０４を閉塞した各扉８の前面と略同じ位置に配置されている。
【００５２】
図８に示されるように、各照明装置４の放熱板カバー４８は、キャビネット本体２０の上面の対応する側端部に形成された凹所２０６に配置されている。放熱板カバー４８の上面は、スペーサー２２の上面よりも低い位置、あるいはスペーサー２２の上面と同じ高さに配置されている。
【００５３】
扉８は前面が鏡面となった鏡扉である。扉８は蝶番（不図示）を介してキャビネット本体２０の天板２００の前面及び底板２０１の前面の夫々に取り付けられている。これにより、扉８は、キャビネット本体２０の収納空間２０４を閉塞する位置から、収納空間２０４の前方を開放する位置まで左右に回動自在になっている。
【００５４】
照明装置付きキャビネット１、及びこの両側に配置される第二キャビネット５の夫々は固着具等を用いて、前記部屋の壁に個別に取り付けられる。この際、照明装置付きキャビネット１の両側に位置する第二キャビネット５は、第一キャビネット２側の外側面（側板２０２の外面）を対応する取付具３の当接部３３に当接した状態で、照明装置付きキャビネット１に並べて配置される。図４に示されるように、照明装置付きキャビネット１の両側に設けられた取付具３及びこれに取り付けられた照明装置４は、第一キャビネット２の外側面と第二キャビネット５の外側面の間に形成された隙間に配置される。
【００５５】
また、照明装置付きキャビネット１は、スペーサー２２の上面が、各第二キャビネット５の上面（天板２００の上面）と同じ高さに位置するように設けられる。このため、照明装置付きキャビネット１の上方に天袋等の設置物を設置するときには、この設置物をスペーサー２２の上面に当接又は近傍に位置させて収まりよく配置することができる。
【００５６】
図５に示されるように、照明装置付きキャビネット１の扉２１及び第二キャビネット５の扉２１を閉じたとき、両扉２１の間には隙間が形成される。この隙間には、照明装置４のベース４０から前方に突出した前端部、すなわち、表面カバー４７やホルダー４１の前部、及び導光部材４２の前部が配置される。
【００５７】
照明装置付きキャビネット１に設けられた各照明装置４は、点光源４５１を発光させることで導光部材４２から第一キャビネット２の前側に光を発することができる。すなわち、点光源４５１から下向きに照射された光は、導光部材４２の上端面である光入射部から導光部材４２に導入され、この後、導光部材４２の下端側に向かう過程で光反射部４２０において拡散して前側に反射する。この光は光出射部４２１から前側に出射され、隣り合う扉８の間に位置する表面カバー４７の前片部４７０を透して第一キャビネット２の前側に出される。これにより、洗面化粧台を利用する利用者は、光出射部４２１から表面カバー４７を透して出射された光を利用して、化粧や洗面等を行うことができる。
【００５８】
以上説明した取付具３は、縦長の照明装置４をその出光部分が前側に向けられた状態で取り付け可能な照明装置取付部３０を備え、この照明装置取付部３０にキャビネット２の外側面に取り付け可能な被取付部３２が設けられたことを特徴とする。このようにすることで、被取付部３２をキャビネット２の外側面に取り付け、照明装置取付部３０に照明装置４を取り付けて、照明装置４を取付具３を介してキャビネット２に取り付けることができる。このため、キャビネット２に大掛かりな加工を施すことを抑制しつつ、キャビネット２に照明装置４を取り付けることができ、コストの増加を抑えることができる。また、取付具３や照明装置４をキャビネット２の外側面に設けることができるので、キャビネット２の収納空間２０４を支障なく利用することがきる。
【００５９】
また、取付具３は、前記照明装置取付部３０が縦長であって前記キャビネット２の外側面の前部に沿って配置されるものであり、この照明装置取付部３０から前記キャビネット２の外側面に沿って後側に突出する突出部３１を備え、前記照明装置取付部３０の左右幅と前記突出部３１の左右幅とを同じにすることが好ましい。このようにすることで、本実施形態のように、照明装置付きキャビネット１の側方に第二キャビネット５を並べて設置したときに、左右幅が同じ照明装置取付部３０と突出部３１を、キャビネット２と第二キャビネット５の間に配置されるスペーサーとして利用できる。特にこの場合、キャビネット２の前部と第二キャビネット５との間には照明装置取付部３０を配置でき、キャビネット２の照明装置取付部３０よりも後側の部分と第二キャビネット５との間には突出部３１を配置することができる。このため、第二キャビネット５の前部がキャビネット２の前部に近づくことを照明装置取付部３０で抑制し、第二キャビネット５の後部がキャビネット２の後部に近づくことを突出部３１で抑制することができる。従って、第二キャビネット５が第一キャビネット２に対して傾き難くなる。
【００６０】
また、照明装置付きキャビネット１は、前記取付具３と、前記キャビネット２と、前記照明装置４とを具備した照明装置付きキャビネット１であって、前記取付具３の前記被取付部３２が前記キャビネット２の外側面に取り付けられ、前記取付具３の前記照明装置取付部３０が前記キャビネット２の外側面の前部に沿って配置され、前記照明装置４がその出光部分を前側に向けた状態で前記照明装置取付部３０に取り付けられたことを特徴とする。この照明装置付きキャビネット１にあっては、照明装置４をキャビネット２に取付具３を介して取り付けることができる。このため、キャビネット２に大掛かりな加工を施すことを抑制しつつ、キャビネット２に照明装置４を取り付けることができ、コストの増加を抑えることができる。
【００６１】
また、照明装置付きキャビネット１は、前記キャビネット２は、他のキャビネットである第二キャビネット５の側方に並べて設置されるものであって、前記取付具３が前記キャビネット２と前記第二キャビネット５の間に配置されるものであることが好ましい。このようにすることで、取付具３及びこれに取り付けられた照明装置４を、キャビネット２と第二キャビネット５の間に配置することができる。このため、第二キャビネット５の収納空間２０４を支障なく利用することがきる。
【００６２】
また、照明装置付きキャビネット１は、取付具３の照明装置取付部３０が縦長であって前記キャビネット２の外側面の前部に沿って配置されるものであり、この照明装置取付部３０から前記キャビネット２の外側面に沿って後側に突出する突出部３１を備え、前記照明装置取付部３０の左右幅と前記突出部３１の左右幅とを同じにしたものであり、前記取付具３の前記照明装置取付部３０及び前記突出部３１の夫々が、前記キャビネット２の外側面及び前記第二キャビネット５の外側面に沿って配置されることが好ましい。この場合、左右幅が同じ照明装置取付部３０と突出部３１を、キャビネット２と第二キャビネット５の間に配置されるスペーサーとして利用できる。また、キャビネット２の前部と第二キャビネット５との間には照明装置取付部３０を配置でき、キャビネット２の照明装置取付部３０よりも後側の部分と第二キャビネット５との間には突出部３１を配置することができる。このため、キャビネット２の前部における第二キャビネット５までの距離と、キャビネット２の前部よりも後側における第二キャビネット５までの距離とを略一定にすることができる。従って、キャビネット２と第二キャビネット５とが互いの前面同士及び後面同士が平行な状態を維持して傾いた状態になり難くすることができる。
【００６３】
また、照明装置付きキャビネット１において、前記照明装置４が、縦長の導光部材４２と、回路基板４５０と、この回路基板４５０に設けられた点光源４５１とを備え、点光源４５１は前記導光部材４２の上端面に対向する位置に設けられ、前記導光部材４２は、前面が光出射部４２１となり、且つ、上端面が点光源４５１から発せられた光が導入される光入射部となって、前記光入射部から導入された光を反射して前記光出射部４２１から出射するものであり、前記照明装置４はさらに前記回路基板４５０に熱的に接続された放熱部を備え、この放熱部が前記キャビネット２と前記第二キャビネット５の間に配置されるものであることが好ましい。このようにすることで、点光源４５１を発光させることで、点光源４５１から照射された光を光入射部から導光部材４２に導入し、この後、反射させて光出射部４２１から出射させることができる。また、点光源４５１を発光させたときに点光源４５１や回路基板４５０で発生した熱を放熱部に伝えて放散することができ、点光源４５１の発光時に生じる熱によって照明装置４の不具合が生じることを抑制できる。また、放熱部をキャビネット２と第二キャビネット５の間に形成される隙間を利用して配置することができる。
【００６４】
また、照明装置付きキャビネット１は、前記キャビネット２の左右両側の外側面の夫々に前記取付具３が取り付けられ、前記取付具３の各々に前記照明装置４が取り付けられることが好ましい。このようにすることで、キャビネット２の左右両側に設けられた照明装置４によって照明することができる。また、照明装置付きキャビネット１の両側に、照明装置４が取り付けられていない第二キャビネット５を設けるだけで、収納空間を複数有するシステムキャビネットとすることができる。
【００６５】
次に第二実施形態について説明する。なお、以下の説明では、第一実施形態と同一の構成については同一の番号を付与し、重複する説明は省略する。
【００６６】
本実施形態の取付具３は、図９に示されるように、照明装置取付部３０から後方に突出する突出部３１を、照明装置取付部３０の長さ方向に複数有している。図示例の突出部３１は、照明装置取付部３０の上端部と下端部に設けられており、取付具３は側面視略Ｃ字状に形成されている。
【００６７】
本実施形態の取付具３の下端部に設けられた突出部３１は、第一実施形態における突出部３１と同じ構成を有している。一方、本実施形態の取付具３の上端部に設けられた突出部３１は、取付具３の下端部に設けられた突出部３１を上下反転させたものである。すなわち、突出部３１は、下方及び前後に開口した横長の溝部３１０と、溝部３００の両側片部３１２の上下方向の中間部同士を接続する接続片部３１１とで構成されている。
【００６８】
照明装置取付部３０の左右幅と、上下の突出部３１の左右幅は同じである。このため、照明装置取付部３０の第一キャビネット２側の側面と、上下の突出部３１の第一キャビネット２側の側面とが、段差無く面一に接続されている。また、照明装置取付部３０の第一キャビネット２と反対側の側面と、上下の突出部３１の第一キャビネット２と反対側の側面も、段差無く面一に接続されている。
【００６９】
そして、本実施形態では、照明装置取付部３０の第一キャビネット２側の側片部３０２と、上下の突出部３１の第一キャビネット２側の側片部３１２とで、第一キャビネット２のキャビネット本体２０の外側面に取り付けられる被取付部３２が構成されている。ここで、上の突出部３１にも、下の突出部３１と同様にねじ用孔及び作業用孔３３０が設けられており、上の突出部３１も下の突出部３１と同様に第一キャビネット２にねじ止めされるようになっている。また、照明装置取付部３０の第一キャビネット２と反対側の側片部３０２と、上下の突出部３１の第一キャビネット２と反対側の側片部３１２とで、第二キャビネット５のキャビネット本体２０の外側面に当接される当接部３３が構成されている。
【００７０】
本実施形態の照明装置付きキャビネット１にあっては、キャビネット２の照明装置取付部３０よりも後側の部分と第二キャビネット５との間に、複数の突出部３１を配置することができる。このため、第二キャビネット５の後部がキャビネット２の後部に近づくことを、複数の突出部３１で抑制することができる。従って、第二キャビネット５は第一キャビネット２に対して一層傾き難くなる。
【００７１】
次に第三実施形態について説明する。なお、以下の説明では、第一実施形態と同一の構成については同一の番号を付与し、重複する説明は省略する。
【００７２】
本実施形態の照明装置４は、図１０に示されるように、導光部材４２の下側に設けられた反射板４９を備えている。反射板４９は後下がりで傾斜しており、導光部材４２の下端面に対向する上側の面部で構成された反射面部４９０は、後方に行く程下方に位置するように傾斜している。反射板４９は、例えば導光部材４２の下端面の前部又は全部を後方程下方に位置するように傾斜させ、この傾斜面に反射板４９の上面である反射面部４９０を沿わせた状態で、照明装置４における導光部材４２やホルダー４１等に取り付けられる。なお、反射板４９は、前記とは異なる方法で照明装置４に設けられても構わない。
【００７３】
本実施形態の照明装置付きキャビネット１において点光源４５１を発光させたときには、導光部材４２に導入された光の一部が導光部材４２の下端面からも下方に向けて出射されるようになっている。そして、この光は、図１０の矢印で示されるように、反射板４９の反射面部４９０に当たって後側に向かって反射されるようになっており、これにより、前記反射面部４９０で反射した光によって、第一キャビネット２の下面側を照明できるようになっている。
【００７４】
以上説明した本実施形態の照明装置付きキャビネット１において、前記照明装置４が点光源４５１と縦長の導光部材４２を備え、前記点光源４５１は前記導光部材４２の上端面に対向する位置に設けられ、前記導光部材４２は、前面が光出射部４２１となり、且つ、上端面が前記点光源４５１から発せられた光が導入される光入射部となって、前記光入射部から導入された光を反射して前記光出射部４２１から出射するものであり、前記導光部材４２の下側に、後方に行く程下方に位置するように傾斜した反射面部４９０が設けれられたことを特徴としている。この構成により、前記のように導光部材４２の下端面から下方に向けて出射された光を反射面部４９０で後側に反射して、キャビネット２の下面側を照明することができる。また、特に照明装置付きキャビネット１を洗面台９０の上方に設けて利用するときには、キャビネット２の下面側の前後方向における広い範囲を照明することができ、洗面台９０の使い勝手を良くすることができる。
【００７５】
なお、本実施形態は、第一実施形態の照明装置付きキャビネット１において反射面部４９０を設けたが、反射面部４９０は第二実施形態の照明装置付きキャビネット１に設けても構わない。また、本実施形態では、反射面部４９０を反射板４９の一面で構成したが、例えば導光部材４２の後下がりで傾斜させた下端面に印刷や蒸着によって反射性の物質を設けたり、微細な凹凸を設けたりすることで、反射面部４９０を形成しても構わない。
【００７６】
また、前記各実施形態では、照明装置付きキャビネット１をシステムキャビネットのセンターキャビネットとして利用したが、照明装置付きキャビネット１を他の態様で利用してもよく、また、照明装置付きキャビネット１を単独で利用してもよい。また、扉２１は鏡扉以外の扉であってもよく、また、第一キャビネット２は、扉２１を省略したキャビネットであってもよい。また、前記各実施形態では、第一キャビネット２に二つの照明装置４を設けたが、キャビネット２には照明装置４を一又は３以上設けてもよい。また、この他、本発明は前記各実施形態に限られるものではなく、適宜設計変更可能である。
【符号の説明】
【００７７】
１  照明装置付きキャビネット
２  第一キャビネット（キャビネット）
４  照明装置
５  第二キャビネット
３０  照明装置取付部
３２  被取付部
３１  突出部
４２  導光部材
４６  放熱板（放熱部）
４２１  光出射部
４５０  回路基板
４７０  前片部（出光部分）
４９０  反射面部
【図１】
2014209989.tif 000003
【図２】
2014209989.tif 000004
【図３】
2014209989.tif 000005
【図４】
2014209989.tif 000006
【図５】
2014209989.tif 000007
【図６】
2014209989.tif 000008
【図７】
2014209989.tif 000009
【図８】
2014209989.tif 000010
【図９】
2014209989.tif 000011
【図１０】
2014209989.tif 000012